(57)【特許請求の範囲】
【請求項１】
バスタブ（１）の洗い場に臨むタブ壁（２）に挟持固定される手摺ベース（３）と、手摺ベース（３）で支持される手摺体（４）と、洗い場の床面に接当して手摺体（４）に作用する外力を手摺ベース（３）と協同して支持する脚柱（５）とを備えるバスタブ用手摺であって、
手摺体（４）は、手摺ベース（３）で鉛直姿勢で傾動不能に支持される手摺支柱（５０）と、同支柱（５０）の上部に固定したブラケット（５２）で支持される手摺本体（５１）とを備えており、
手摺ベース（３）はベース本体（７）を備えていて、ベース本体（７）に手摺支柱（５０）を抱持固定する支柱固定構造が設けられており、
手摺支柱（５０）が支柱固定構造で鉛直姿勢を維持した状態で上下調整可能に、かつ、手摺本体（５１）の向きを手摺支柱（５０）の周りに旋回調整可能に抱持固定されており、
手摺ベース（３）に対する手摺支柱（５０）の上下位置を変更することで、手摺ベース（３）に対する手摺本体（５１）の高さ位置を変更することが可能であり、
手摺ベース（３）に対して手摺支柱（５０）を中心軸回りに旋回させることで、該手摺ベース（３）に対する手摺本体（５１）の旋回姿勢を変更することが可能であり、
ブラケット（５２）と手摺本体（５１）の間に、手摺本体（５１）の手摺支柱（５０）に対する傾動姿勢を調整する傾動調整構造が設けられており、
手摺ベース（３）に対する手摺本体（５１）の支持姿勢を、上下方向と旋回方向と傾動方向の３方向に変更調整できることを特徴とするバスタブ用手摺。
【請求項２】
支柱固定構造が、ベース本体（７）に形成した上下貫通状の手摺支柱（５０）用の柱穴（１９）と、柱穴（１９）に隣接形成した第１抱持座（６８）と、第１抱持座（６８）と対向する第２抱持座（６９）を備えた抱持ブロック（７０）と、抱持ブロック（７０）をベース本体（７）に締結するねじ体（７１）を備えており、
抱持ブロック（７０）をねじ体（７１）でベース本体（７）に締結固定した状態において、第１、第２の各抱持座（６８・６９）により手摺支柱（５０）の周面が抱持固定されている請求項１に記載のバスタブ用手摺。
【請求項３】
手摺支柱（５０）の周面が断面円形に形成されており、
第１抱持座（６８）と第２抱持座（６９）は、それぞれ断面半円状に形成されており、
抱持ブロック（７０）をねじ体（７１）でベース本体（７）に締結固定した状態において、第１抱持座（６８）と第２抱持座（６９）が手摺支柱（５０）の周面に面接触状に密着している請求項２に記載のバスタブ用手摺。
【請求項４】
第１抱持座（６８）と第２抱持座（６９）の対向面の左右両側に、互いに係合する位置決め体（７６）と位置決め穴（７３）とが形成されている請求項２または３に記載のバスタブ用手摺。
【請求項５】
手摺本体（５１）の対向辺部に設けた一対の連結部（５６）と、ブラケット（５２）に設けた一対のボス（９０）の間に傾動調整構造が設けられており、
傾動調整構造が、連結部（５６）および一対のボス（９０）に設けられるセレーション穴（５８・５９）と、両セレーション穴（５８・５９）を係合連結するセレーション軸（６３）と、セレーション軸（６３）をブラケット（５２）に締結固定するねじ体（６１）とを備えており、
セレーション軸（６３）をねじ体（６１）でブラケット（５２）に締結固定した状態において、セレーション軸（６３）がセレーション穴（５８・５９）と係合して、傾動調整された手摺本体（５１）を傾動不能に保持固定している請求項１から４のいずれかひとつに記載のバスタブ用手摺。
【請求項６】
セレーション軸（６３）がプラスチック製の軸本体（９２）と、軸本体（９２）の外側端に固定されるキャップ（９３）で構成されており、
軸本体（９２）に形成したセレーション歯（６３ａ）が、軸本体（９２）の外側端から内側端へ向かって先すぼまりテーパー状に形成されており、
各セレーション穴（５８・５９）に形成したセレーション歯（５８ａ・５９ａ）が、前記セレーション歯（６３ａ）とは逆向きの先すぼまりテーパー状に形成されている請求項５に記載のバスタブ用手摺。
【請求項７】
軸本体（９２）の挿通穴（９４）に挿通したねじ体（６１）のねじ込み始端が、軸本体（９２）のボス（９０）との接合面より突出されている請求項５、または６に記載のバスタブ用手摺。
【請求項８】
手摺ベース（３）のベース本体（７）に、タブ壁（２）を内外に挟持するクランプ構造が設けられており、
クランプ構造は、ベース本体（７）に固定されてタブ壁（２）の外側面（２ａ）に接当する左右一対の固定クランプ体（２６）と、ベース本体（７）で進退自在に支持されるクランプアーム（２７）と、クランプアーム（２７）に支持されてタブ壁（２）の内側面（２ｂ）に接当する左右一対の可動クランプ体（２８）と、クランプアーム（２７）を進退操作する調整構造を備えており、
タブ壁（２）に接当する固定クランプ体（２６）の接合面（２９）が、外側面（２ａ）に向って外突状に湾曲する２次元平面で形成されており、
タブ壁（２）に接当する可動クランプ体（２８）が、クランプアーム（２７）に設けた自在継手（３８）で前後および左右傾動可能に支持されている請求項１から７のいずれかひとつに記載のバスタブ用手摺。
【請求項９】
手摺支柱（５０）の上端内部に調整ねじ軸（５４）が固定されており、
脚柱（５）の上端に雌ねじ体（８１）が固定され、脚柱（５）の下端に接床体（８２）が設けられており、
手摺支柱（５０）の内部に脚柱（５）が内嵌された状態で、雌ねじ体（８１）が調整ねじ軸（５４）にねじ込み連結されている請求項１から８のいずれかひとつに記載のバスタブ用手摺。
【発明の詳細な説明】
【技術分野】
【０００１】
本発明は、バスタブのエプロン側のタブ壁に装着して使用される手摺に関する。
【背景技術】
【０００２】
この種の手摺は、例えば特許文献１の浴槽用手摺に開示されている。特許文献１の浴槽用手摺は、浴槽の洗い場側（エプロン側）の外側面に当接する押圧部と、浴槽の内側面に当接する押圧受け部と、押圧部と押圧受け部を連結する連結部と、連結部に設けられる手摺部および脚部などで構成される。連結部は、押圧部の第１当接面を支持する垂直の第１側片と、押圧受け部の第２当接面を支持する垂直の第２側片と、両側片を連結する水平の連結片で構成されており、第１側片の外面に押圧部を進退移動させる位置調節部が設けられている。手摺部は、長円状の把持部と、把持部の直線枠部の下面に固定した一対の取付け脚とを備えている。脚部は、第１側片に固定される支持柱を備えており、その下端に接地部が設けられている。手摺部の把持部とは別に、第２側片の後面に縦方向の把手部が固定してある。
【０００３】
特許文献１の浴槽用手摺では、押圧受け部を浴槽の内側面にあてがった状態で、位置調節部のハンドルノブを回動操作し押圧部を浴槽の外側面に押付けることにより、連結部を浴槽に固定できる。また、手摺部の取付け脚を連結部の第１側片の前面に締結することにより、手摺部を連結部で支持できる。さらに、脚部の支持柱を第１側片の前面に装着することにより、手摺部および連結部を脚部で支持できる。手摺部の取付け脚には一定間隔おきに取付け穴が前後貫通状に形成されているので、第１側片に対する締結位置を変更することで手摺部の上下高さを変更調整できる。
【先行技術文献】
【特許文献】
【０００４】
【特許文献１】特許第６４７１８８６号公報
【発明の概要】
【発明が解決しようとする課題】
【０００５】
特許文献１の浴槽用手摺では、左右一対の取付け脚を第１側片の前面に締結して手摺部を連結部に固定している。こうした浴槽用手摺では、手摺部の上下高さを段階的に調整できるものの、長円状の把持部の向きが浴槽の洗い場側の浴槽壁と直交する向きに限られ、さらに把持部の姿勢が常に水平姿勢に固定化されてしまう。そのため、ユーザーの身体状況や体力、あるいは好みに応じて把持部の向きや姿勢、あるいは高さ位置を微妙に調整できない点に改善の余地があった。また、第１側片の上部に位置調節部のハンドルノブを設け、その真下に脚部の支持柱を装着しているので、浴槽壁の洗い場床面からの高さが一定範囲内にないと、浴槽用手摺を設置することができない不便がある。例えば、浴槽壁の洗い場床面からの高さが一定高さ未満であると、ハンドルノブが邪魔になるため脚部を第１側片の上部に装着できない。また、浴槽壁の洗い場床面からの高さが一定範囲を越えると、支持柱の接地部を洗い場の床面に接床させることができないため、支持柱の接地部と洗い場の床面の間に、隙間を埋めるための木片や接床用のブロックを介在させる必要があり、浴槽用手摺の適用対象が一定範囲内の高さの浴槽壁を備えた浴槽に限られてしまっていた。
【０００６】
本発明の目的は、ユーザーの身体状況や体力、あるいは好みに応じて手摺本体の向きや姿勢、さらには高さ位置を微妙に調整できる汎用性に優れたバスタブ用手摺を提供することにある。
【課題を解決するための手段】
【０００７】
本発明に係るバスタブ用手摺は、バスタブ１の洗い場に臨むタブ壁２に挟持固定される手摺ベース３と、手摺ベース３で支持される手摺体４と、洗い場の床面に接当して手摺体４に作用する外力を手摺ベース３と協同して支持する脚柱５とを備える。手摺体４は、手摺ベース３で鉛直姿勢で傾動不能に支持される手摺支柱５０と、同支柱５０の上部に固定したブラケット５２で支持される手摺本体５１とを備える。手摺ベース３はベース本体７を備えており、ベース本体７に手摺支柱５０を抱持固定する支柱固定構造が設けられている。手摺支柱５０は支柱固定構造で鉛直姿勢を維持した状態で上下調整可能に、かつ、手摺本体５１の向きを手摺支柱５０の周りに旋回調整可能に抱持固定されている。手摺ベース３に対する手摺支柱５０の上下位置を変更することで、手摺ベース３に対する手摺本体５１の高さ位置を変更することが可能である。手摺ベース３に対して手摺支柱５０を中心軸回りに旋回させることで、該手摺ベース３に対する手摺本体５１の旋回姿勢を変更することが可能である。ブラケット５２と手摺本体５１の間に、手摺本体５１の手摺支柱５０に対する傾動姿勢を調整する傾動調整構造が設けられている。手摺ベース３に対する手摺本体５１の支持姿勢を、上下方向と旋回方向と傾動方向の３方向に変更調整できることを特徴とする。
【０００８】
支柱固定構造は、ベース本体７に形成した上下貫通状の手摺支柱５０用の柱穴１９と、柱穴１９に隣接形成した第１抱持座６８と、第１抱持座６８と対向する第２抱持座６９を備えた抱持ブロック７０と、抱持ブロック７０をベース本体７に締結するねじ体７１を備えている。抱持ブロック７０をねじ体７１でベース本体７に締結固定した状態において、第１、第２の各抱持座６８・６９により手摺支柱５０の周面が抱持固定される。
【０００９】
手摺支柱５０の周面は断面円形に形成されている。第１抱持座６８と第２抱持座６９は、それぞれ断面半円状に形成されている。抱持ブロック７０をねじ体７１でベース本体７に締結固定した状態において、第１抱持座６８と第２抱持座６９が手摺支柱５０の周面に面接触状に密着している。
【００１０】
第１抱持座６８と第２抱持座６９の対向面の左右両側に、互いに係合する位置決め体７６と位置決め穴７３が形成されている。
【００１１】
手摺本体５１の対向辺部に設けた一対の連結部５６と、ブラケット５２に設けた一対のボス９０の間に傾動調整構造が設けられている。傾動調整構造は、連結部５６および一対のボス９０に設けられるセレーション穴５８・５９と、両セレーション穴５８・５９を係合連結するセレーション軸６３と、セレーション軸６３をブラケット５２に締結固定するねじ体６１を備えている。セレーション軸６３をねじ体６１でブラケット５２に締結固定した状態において、セレーション軸６３がセレーション穴５８・５９と係合して、傾動調整された手摺本体５１を傾動不能に保持固定している。
【００１２】
セレーション軸６３はプラスチック製の軸本体９２と、軸本体９２の外側端に固定されるキャップ９３で構成されている。軸本体９２に形成したセレーション歯６３ａは、軸本体９２の外側端から内側端へ向かって先すぼまりテーパー状に形成されている。各セレーション穴５８・５９に形成したセレーション歯５８ａ・５９ａは、前記セレーション歯６３ａとは逆向きの先すぼまりテーパー状に形成されている。
【００１３】
軸本体９２の挿通穴９４に挿通したねじ体６１のねじ込み始端は、軸本体９２のボス９０との接合面より突出されている。
【００１４】
手摺ベース３のベース本体７に、タブ壁２を内外に挟持するクランプ構造が設けられている。クランプ構造は、ベース本体７に固定されてタブ壁２の外側面２ａに接当する左右一対の固定クランプ体２６と、ベース本体７で進退自在に支持されるクランプアーム２７と、クランプアーム２７に支持されてタブ壁２の内側面２ｂに接当する左右一対の可動クランプ体２８と、クランプアーム２７を進退操作する調整構造を備えている。タブ壁２に接当する固定クランプ体２６の接合面２９は、外側面２ａに向って外突状に湾曲する２次元平面で形成されている。タブ壁２に接当する可動クランプ体２８は、クランプアーム２７に設けた自在継手３８で前後および左右傾動可能に支持されている。
【００１５】
手摺支柱５０の上端内部に調整ねじ軸５４が固定されている。脚柱５の上端に雌ねじ体８１が固定され、脚柱５の下端に接床体８２が設けられている。手摺支柱５０の内部に脚柱５が内嵌された状態で、雌ねじ体８１が調整ねじ軸５４にねじ込み連結されている。
【発明の効果】
【００１６】
本発明においては、手摺体４が手摺ベース３で支持される手摺支柱５０と、同支柱５０の上部に固定したブラケット５２で支持される手摺本体５１を備えるようにした。また、手摺ベース３のベース本体７に手摺支柱５０を抱持固定する支柱固定構造を設けて、手摺体４を支柱固定構造で上下調整可能に、かつ、手摺本体５１の向きを手摺支柱５０の周りに旋回調整可能に抱持固定できるようにした。さらに、ブラケット５２と手摺本体５１の間に、手摺本体５１の手摺支柱５０に対する傾動姿勢を調整する傾動調整構造を設けるようにした。こうしたバスタブ用手摺によれば、手摺本体５１の支持姿勢を、上下方向と旋回方向と傾動方向の３方向に変更調整することができるので、ユーザーの身体状況や体力、あるいは好みに応じて手摺本体５１の向きや姿勢、さらには高さ位置を微妙に調整できる汎用性に優れたバスタブ用手摺を提供できる。
【００１７】
ベース本体７に形成した手摺支柱５０用の柱穴１９と、柱穴１９に隣接形成した第１抱持座６８と、第２抱持座６９を備えた抱持ブロック７０と、抱持ブロック７０をベース本体７に締結するねじ体７１などで支柱固定構造を構成するようにした。また、抱持ブロック７０をねじ体７１でベース本体７に締結固定した状態において、第１、第２の各抱持座６８・６９で手摺支柱５０の周面を抱持固定できるようにした。こうした支柱固定構造によれば、ねじ体７１を緩めて第１抱持座６８と第２抱持座６９の対向間隔を広げるだけの簡単な操作で、手摺支柱５０を上下に移動操作し、あるいは手摺支柱５０の中心軸の回りに旋回移動操作することができる。また、手摺本体５１の姿勢を調整した状態でねじ体７１を締めこむだけで、手摺本体５１を姿勢変更不能に固定保持できる。従って、支柱固定構造による一連の姿勢調整作業を、簡便にしかも速やかに行える。
【００１８】
手摺支柱５０の周面を断面円形に形成し、第１抱持座６８と第２抱持座６９は、それぞれ断面半円状に形成するようにした。こうした支柱固定構造によれば、抱持ブロック７０をねじ体７１でベース本体７に締結固定した状態において、第１抱持座６８と第２抱持座６９を手摺支柱５０の周面に面接触状に密着させて、両抱持座６８・６９と手摺支柱５０の間の摩擦力を増強できる。従って、手摺本体５１が外力を受けて下向きにずれ動き、あるいは、外力を受けた手摺本体５１が手摺支柱５０の中心軸の回りに旋回移動するのを確実に防止して、ユーザーを常に安定した状態で支持できる、安全性に優れたバスタブ用手摺を提供できる。
【００１９】
第１抱持座６８と第２抱持座６９の対向面の左右両側に、互いに係合する位置決め体７６と位置決め穴７３を形成するようにした。こうした支柱固定構造によれば、互いに係合する位置決め体７６と位置決め穴７３で、抱持ブロック７０を上下および左右に位置決めした状態で締結できるので、ねじ体７１による抱持ブロック７０の締結をより的確に、しかも安定した状態で行うことができる。また、ベース本体７に締結固定された状態の抱持ブロック７０は、左右一対のねじ体７１と左右一対の位置決め体７６および位置決め穴７３の合計４個所で固定保持されるので、抱持ブロック７０に大きな傾動モーメントが作用するような場合でも、手摺体４をぐら付きのない状態で確りと支持できる。
【００２０】
手摺本体５１の連結部５６およびブラケット５２のボス９０に設けられるセレーション穴５８・５９と、両セレーション穴５８・５９を係合連結するセレーション軸６３と、セレーション軸６３をブラケット５２に締結固定するねじ体６１で傾動調整構造を構成するようにした。こうした傾動調整構造によれば、セレーション軸６３が各セレーション穴５８・５９と係合する状態で、手摺本体５１をブラケット５２に固定支持できるので、手摺本体５１に大きな外力モーメントが作用する場合でも、手摺本体５１の姿勢を安定した状態で保持し続けることができる。また、セレーション軸６３とセレーション穴５８・５９を連結要素にして、手摺本体５１をブラケット５２に締結固定するので、手摺本体５１の傾動姿勢を調整する際の自由度を向上して、個々のユーザーの身体状況等に適合した姿勢調整を綿密に行える。
【００２１】
プラスチック製の軸本体９２とキャップ９３でセレーション軸６３を構成し、軸本体９２に形成したセレーション歯６３ａを、先すぼまりテーパー状に形成し、各セレーション穴５８・５９に形成したセレーション歯５８ａ・５９ａは、前記セレーション歯６３ａとは逆向きの先すぼまりテーパー状に形成するようにした。こうした傾動調整構造によれば、手摺本体５１をブラケット５２に連結した状態では、各セレーション歯５８ａ・５９ａ・６３ａの歯面をくさび効果で密着させることができるので、ユーザーを支える手摺本体５１が外力を受けて上下に傾動するのを確実に防止し、バスタブ用手摺の安全性を向上できる。
【００２２】
軸本体９２の挿通穴９４に挿通したねじ体６１のねじ込み始端を、軸本体９２のボス９０との接合面より突出させるようにした。こうした傾動調整構造によれば、ねじ体６１を緩めてセレーション軸６３をブラケット５２側のセレーション穴５９から分離させた状態において、ねじ体６１の先端部分がねじ穴６２にねじ込まれているので、手摺本体５１がブラケット５２から分離することはない。従って、手摺本体５１の傾動姿勢の調整から、セレーション軸６３の先端をセレーション穴５９に仮係合して、手摺本体５１の使い勝手を確認する一連の作業を適確にしかも速やかに行うことができる。
【００２３】
手摺ベース３のベース本体７に設けたクランプ構造が、ベース本体７に固定される左右一対の固定クランプ体２６と、クランプアーム２７に支持されてタブ壁２の内側面２ｂに接当する左右一対の可動クランプ体２８を備えるようにした。また、固定クランプ体２６の接合面２９は、外側面２ａに向って外突状に湾曲する２次元平面で形成し、可動クランプ体２８は、クランプアーム２７に設けた自在継手３８で前後および左右傾動可能に支持した。こうしたバスタブ用手摺によれば、前後に湾曲しているタブ壁２の外側面２ａの２個所を、一対の固定クランプ体２６の接合面２９で線接触状に受止めることができる。さらに、湾曲するタブ壁２の内側面２ｂの２個所を、一対の可動クランプ体２８の接合面４１が異なる向きに傾動し、さらに面接接触状に密着した状態で受止めることができる。従って、タブ壁２が平坦である場合はもちろん、タブ壁２の内外側面２ａ・２ｂが内外いずれかに湾曲している場合であっても、タブ壁２の内外側面２ａ・２ｂの４個所を固定クランプ体２６と可動クランプ体２８で強固に挟持して、バスタブ用手摺をバスタブ１に対して強固にしかも安定した状態で装着できる。また、タブ壁２のコーナー近傍であっても手摺ベース３を設置できるので、適用可能なバスタブ１と手摺装着位置の自由度を拡大してバスタブ用手摺の汎用性を向上できるうえ、バスタブ１に出入りするための空間がバスタブ用手摺で狭められるのを極力避けることができる。
【００２４】
脚柱５の上端に雌ねじ体８１を固定し、脚柱５の下端に接床体８２を設けるようにした。また、中空の手摺支柱５０の内部に脚柱５を内嵌装着して、雌ねじ体８１を手摺支柱５０に固定した調整ねじ軸５４にねじ込むようにした。こうしたバスタブ用手摺によれば、脚柱５の調整ねじ軸５４に対するねじ込み度合いを調整することで、手摺ベース３の接床高さを無段階に調整できる。従って、タブ壁２の高さの違いに応じて、手摺ベース３の接床高さを過不足なく適正に調整して、手摺ベース３を脚柱５で確りと支持できる。また、バスタブ用手摺を設置する際に不可欠な手摺ベース３の接床高さの調整を、より少ない手間で簡便に行える。
【図面の簡単な説明】
【００２５】
【図１】本発明に係るバスタブ用手摺を示す図５におけるＢ−Ｂ線断面図である。
【図２】本発明に係るバスタブ用手摺の適用例を示すバスタブの平面図である。
【図３】タブ壁に装着した状態のバスタブ用手摺の側面図である。
【図４】図５におけるＡ−Ａ線断面図である。
【図５】図４におけるＣ−Ｃ線断面図である。
【図６】手摺ベースの分解断面図である。
【図７】図４におけるＤ−Ｄ線断面図である。
【図８】図４におけるＥ−Ｅ線断面図である。
【図９】可動クランプ体の支持構造を示す分解斜視図である。
【図１０】クランプアームの固定構造を示す分解斜視図である。
【図１１】脚柱の構造を示す一部破断正面図である。
【図１２】手摺本体の支持構造を示す断面図である。
【図１３】図１１におけるＦ−Ｆ線断面図である。
【図１４】セレーション歯の展開図である。
【図１５】手摺本体の取り付け構造を示す断面図である。
【図１６】固定クランプ体とスペーサーを示す斜視図である。
【図１７】タブ壁の湾曲形状に応じたスペーサーの使用例を示す横断面図である。
【発明を実施するための形態】
【００２６】
（実施例）  本発明に係るバスタブ用手摺の実施例を図１から図１７に示す。本実施例における前後、左右、上下とは、図２および図３に示す交差矢印と、各矢印の近傍の前後、左右、上下の各表記に従う。図２および図３において、符号１はバスタブ、２はバスタブ１の洗い場に臨むタブ壁で、タブ壁２のコーナー部の近傍に手摺が設置されている。平面から見たタブ壁２は前突湾曲状に湾曲している。バスタブ用手摺は、タブ壁２に挟持固定される手摺ベース３と、手摺ベース３で支持される手摺体４と、洗い場の床面に接当して手摺体４に作用する外力を手摺ベース３と協同して支持する脚柱５などで構成される。
【００２７】
手摺ベース３は、ベース本体７と、同本体７に設けられてタブ壁２を内外に挟持するクランプ構造と、ベース本体７の前部上面と後部上面に固定される前上ブロック８および後上ブロック９（図６参照）と、ベース本体７の後部下面に固定される後下ブロック１０と、これらの部材を下面側から覆う本体カバー１２と、ベース本体７の上面を覆う蓋カバー１３などで構成される。前上ブロック８および後上ブロック９は、本体カバー１２、後下ブロック１０および固定クランプ体２６などをベース本体７に締結するために設けられており、各ブロック８・９には本体カバー１２および後下ブロック１０の下面側から挿通される３個のボルト（六角穴付きボルト）１４に対応するナット１５が設けられている（図１参照）。後下ブロック１０の下面にはクッション材１６が固定されている。ベース本体７、前後の上ブロック８・９、後下ブロック１０、本体カバー１２および蓋カバー１３は、いずれもプラスチック成形品からなる。図４に示すように、後下ブロック１０の後端面の左右には、後述するクランプアーム２７の前後中途部を支持するアーム通口１１が設けられている。
【００２８】
図５に示すように、ベース本体７の中央寄りには手摺体４の手摺支柱５０を組むためのボス１８が形成されており、ボス１８の中央に柱穴１９が上下貫通状に形成されている。また、ボス１８の左右には、後述する調整構造を支持する断面凸字状のガイド溝２０が形成されており、ボス１８の前後には前枠２１および後枠２２が張り出し形成されて、これら両枠２１・２２の上下面に先の前後の上ブロック８・９と後下ブロック１０とが締結されている。ボス１８の上部には、蓋カバー１３の筒壁１３ａを組むための連結穴２３が形成されている（図１参照）。
【００２９】
クランプ構造は、ベース本体７に固定されてタブ壁２の外側面２ａに接当する左右一対の固定クランプ体２６と、ベース本体７で進退自在に支持される左右一対のクランプアーム２７と、クランプアーム２７に支持されてタブ壁２の内側面２ｂに接当する左右一対の可動クランプ体２８と、クランプアーム２７を進退操作する調整構造とを備えている。固定クランプ体２６の接合面２９は、タブ壁２の外側面２ａに向って外突状に湾曲する２次元平面からなり、タブ壁２が傷むのを避けるために接合面２９はゴムなどのクッション材で形成される。
【００３０】
図５に示すように、固定クランプ体２６の接合面２９は、湾曲長さが異なる第１円弧面２９ａと第２円弧面２９ｂを備えた部分円弧面で形成されている。また、左右に隣接する固定クランプ体２６は左右線対称に配置されて、対称中心軸線に近い側の第２円弧面２９ｂの湾曲長さが、対称軸線から遠い側の第１円弧面２９ａの湾曲長さより大きく設定されている。タブ壁２の外側面２ａが前突湾曲状に形成してある場合には、主として隣接する第２円弧面２９ｂで外側面２ａを受け止めており、タブ壁２の外側面２ａが後突湾曲状に形成してある場合には、主として隣接する第１円弧面２９ａで外側面２ａを受け止めている。
【００３１】
図１６に示すように、固定クランプ体２６は花弁状の本体部２６ａと、本体部２６ａの前面の左右に設けた六角穴付きボルト（ボルト）３１用のボス２６ｂ、および位置規制板２６ｃを一体に備えている。ボス２６ｂがベース本体７の後面から内部に係合する状態で、六角穴付きボルト３１を雌ねじ体３０にねじ込むことにより、固定クランプ体２６がスペーサー３２を介してベース本体７に固定されている。雌ねじ体３０は、先に説明した後上ブロック９と一体に形成されている。スペーサー３２には、ボス２６ｂ用のボス穴３２ａと、位置規制板２６ｃ用の切欠３２ｂが形成されている。この実施例では、厚みが異なる３種のスペーサー３２を用意しており、各スペーサー３２の厚みは、薄い側から順に２．５ｍｍ、５ｍｍ、７．５ｍｍとした。
【００３２】
図４および図１０に示すように、クランプアーム２７は横臥Ｌ字状のプレス金具にプラスチック被覆を施して形成されており、水平の腕部の前部寄りが２個の皿ビス（ボルト）３５で金属製のアーム締結枠３６に締結固定されている。また、アーム締結枠３６は、後述する調整構造のスライドブロック４３の上面に２個の皿ビス（ボルト）３７で締結固定されている。クランプアーム２７の垂直の腕部の前面下部に、可動クランプ体２８が十字軸状の自在継手３８で支持されている。詳しくは、図９に示すように、クランプアーム２７の垂直の腕部に設けた左右一対のブラケット３９で自在継手３８の左右軸を支持し、可動クランプ体２８の後面に設けた上下一対のブラケット４０で自在継手３８の上下軸を支持している。このように、可動クランプ体２８を自在継手３８で支持することにより、可動クランプ体２８は、タブ壁２の内側面２ｂの湾曲度と傾斜度に応じて左右方向および前後方向に傾動できる。詳しくは、可動クランプ体２８は平面から見て１０度ずつ左右傾動でき、側面から見て前方へ１５．５度、後方へ９．５度傾動できる。可動クランプ体２８の接合面４１は平坦面からなり、タブ壁２が傷むのを避けるために接合面４１はゴムなどのクッション材で形成してある。
【００３３】
調整構造は、ベース本体７に設けたガイド溝２０で前後スライド自在に案内支持される断面が凸字状の金属製のスライドブロック４３と、スライドブロック４３にねじ込まれて同ブロック４３を進退操作する調整ボルト４４を備えている。図５に示すように、調整ボルト４４の操作頭部はガイド溝２０の前壁で支持されて、ねじ軸がスライドブロック４３のねじ穴４５に前後貫通状にねじ込まれている。調整ボルト４４の操作頭部は、ベース本体７に組付けた前上ブロック８で覆われており、前上ブロック８の左右には調整ボルト４４をねじ込み操作するためのレンチ穴４６が形成してある。調整ボルト４４の操作頭部を前上ブロック８で覆うことにより、調整ボルト４４が不必要に緩められるのを防止できる。図１０に示すように、アーム締結枠３６には、一定ピッチで４個のねじ穴４７が形成されているため、クランプアーム２７のアーム締結枠３６に対する締結位置を前後方向の３個所に変更して、固定クランプ体２６と可動クランプ体２８の挟持間隔を大小に変更調整することができる。
【００３４】
手摺体４は、手摺ベース３で支持される手摺支柱５０と、同支柱５０の上部に装着される手摺本体５１とを備えている。手摺支柱５０は金属製の丸パイプに樹脂被覆を施して形成されており、その上端にＴ字状のブラケット５２が固定され、下端に抜止用のキャップ５３が固定されている。また、手摺支柱５０の内部には、脚柱５の上下位置を調整するための調整ねじ軸５４が固定されており、調整ねじ軸５４の上端は手摺支柱５０の上端に固定した端プラグ５５に回転不能に固定されている（図１２参照）。脚柱５の調整範囲を大きくするために、調整ねじ軸５４は端プラグ５５から手摺支柱５０の下端付近にわたって設けられており、タブ壁２の洗い場床面からの高さが２５〜５０ｃｍの範囲内にあれば、手摺ベース３をタブ壁２に支障なく装着できる。端プラグ５５は、六角穴付きボルト８８とナット８９とで手摺支柱５０の上端に締結固定されている。手摺本体５１は、一対の長辺部と、長辺部の端部に連続する湾曲部とで平面視が競技トラック状に形成されており、各長辺部の中途部下面側に三角形状の連結部５６が一体に形成されている。図３に示すように、手摺本体５１は連結部５６の近傍の長辺部がへ字状に屈曲されている。
【００３５】
手摺本体５１をブラケット５２で上下傾動可能に支持するために、手摺本体５１の連結部５６とブラケット５２の左右一対のボス９０の間に傾動調整機構が設けられている。傾動調整機構は、各連結部５６に形成される軸通口５７とセレーション穴５８と、各ボス９０に形成されるセレーション穴５９と、各セレーション穴５８・５９を相対回動不能に連結するセレーション軸６３と、同軸６３をブラケット５２に締結固定する六角穴付きボルト（ねじ体）６１などを備えている。六角穴付きボルト６１に対応して、セレーション穴５９の中央にねじボス６０を膨出形成し、ねじボス６０の中央にねじ穴６２を形成している。軸本体９２の挿通穴９４に挿通した六角穴付きボルト６１のねじ込み始端は、軸本体９２のボス９０との接合面より常に突出している。
【００３６】
図１２に示すようにセレーション軸６３は、ポリアミド樹脂などのプラスチック製の軸本体９２と、軸本体９２の外側端に固定されるプラスチック製のキャップ９３とを備えている。軸本体９２の中央には、六角穴付きボルト６１用の挿通穴９４と、ねじボス６０に外嵌するボス穴６４が凹み形成されている。キャップ９３は２個の六角穴付きボルト（ボルト）９５で軸本体９２に締結固定されており、その中央には六角穴付きボルト９５の操作頭部を覆う凹部９６とレンチ穴（操作穴）９７とが形成されている。キャップ９３を設けることにより、六角穴付きボルト６１が不必要に緩められるのを防止して、同ボルト６１がセレーション軸６３から分離するのを解消できる。
【００３７】
手摺本体５１をブラケット５２に連結するときは、セレーション軸６３をセレーション穴５８に仮組みした状態で手摺本体５１の姿勢を調整し、セレーション軸６３をブラケット５２側のセレーション穴５９に係合させて、手摺本体５１を傾動不能に仮保持する。この状態で、六角穴付きボルト６１をねじ穴６２にねじ込んで手摺本体５１をブラケット５２に固定する。このように、手摺本体５１をブラケット５２に連結した状態において、各セレーション穴５８・５９のセレーション歯５８ａ・５９ａと、セレーション軸６３のセレーション歯６３ａの間に隙間があると、ユーザーを支える手摺本体５１が僅かではあっても上下に傾動して、ユーザーの身体のバランスが崩れるおそれがある。
【００３８】
上記のような状況を避けるために、図１４に示すように、セレーション歯６３ａは、セレーション軸６３の外側端から内側端へ向って先すぼまりテーパー状に形成されている。また、セレーション穴５８のセレーション歯５８ａは、セレーション歯６３ａに対応してセレーション穴５８の開口縁から軸通口５７の側へ向かって先すぼまりテーパー状に形成されている。同様にセレーション穴５９のセレーション歯５９ａは、セレーション穴５９の内奥端から開口縁へ向かって先すぼまりテーパー状に形成されている。つまり、各セレーション穴５８・５９に形成したセレーション歯５８ａ・５９ａは、セレーション歯６３ａとは逆向きの先すぼまりテーパー状に形成されている。従って、図１５に示すように、手摺本体５１をブラケット５２に連結する場合には、各セレーション歯５８ａ・５９ａ・６３ａの歯面をくさび効果で密着させて、ユーザーを支える手摺本体５１が外力を受けて上下に傾動するのを確実に防止できる。
【００３９】
手摺体４を手摺ベース３で上下位置調整可能に支持するために、ベース本体７の柱穴１９の下側に半円状の第１抱持座６８を設け、同抱持座６８の後側に半円状の第２抱持座６９を備えた抱持ブロック７０を配置し、両抱持座６８・６９で手摺支柱５０を前後に挟持固定できるようにしている。第１抱持座６８の左右には、抱持ブロック７０を締結する六角穴付きボルト（ボルト）７１用のボルト挿通穴７２が形成されており、ボルト挿通穴７２の下側に縦長四角形状の位置決め穴７３が凹み形成されている。同様に、抱持ブロック７０にはボルト挿通穴７４とナット７５を収容する凹部が形成され、ボルト挿通穴７４の下側に位置決め穴７３と係合する位置決め体７６が突設されている。
【００４０】
本体カバー１２の内面には、六角穴付きボルト７１の操作頭部が必要以上に弛み移動するのを規制する規制キャップ７７が設けられており、規制キャップ７７と本体カバー１２の左右には、六角穴付きボルト７１をねじ込み操作するためのレンチ穴７８が形成されている。六角穴付きボルト７１を緩めると、手摺支柱５０に密着していた抱持ブロック７０の第２抱持座６９が開放されるので、手摺体４を使用に適した高さに無段階で上下調整することができ、この状態で手摺体４の手摺支柱５０の周りの向きを調整したうえで、六角穴付きボルト７１をねじ込むことにより、手摺体４を手摺ベース３に固定できる。
【００４１】
図１１に示すように脚柱５は、金属製の丸パイプの外面に樹脂被覆を施して形成されており、その上端に雌ねじ体８１が固定され、下端には接床体８２が設けられている。脚柱５は、手摺支柱５０に内嵌され、雌ねじ体８１を調整ねじ軸５４にねじ込んだ状態で手摺支柱５０に連結されており、この状態の雌ねじ体８１の周面は手摺支柱５０の内面で受止められ、さらに脚柱５の中途部が手摺支柱５０の下端に固定したキャップ５３で受止められている。このように、脚柱５の上下２個所が手摺支柱５０とキャップ５３で受止め支持されていると、脚柱５をより安定した状態で支持できる。接床体８２は、中空筒状のプラスチック成形品からなり、その下面に洗い場の床面で受け止められるすべり止め８３が固定されている。接床体８２は、脚柱５の下端に固定したばねプラグ８４で上下スライド自在に支持されており、ばねプラグ８４と接床体８２の内面のバネ受壁の間に配置したばね８５で下向きに進出付勢されている。
【００４２】
以上のように構成したバスタブ用手摺は、以下の手順で設置する。まず、蓋カバー１３を本体カバー１２から持ち上げて調整ボルト４４を緩め、固定クランプ体２６と可動クランプ体２８の挟持間隔をタブ壁２の前後厚みより大きめに調整する。さらに、抱持ブロック７０の六角穴付きボルト７１を緩めて、手摺支柱５０を上下スライド可能な状態にしておく。この状態の手摺ベース３をタブ壁２に仮装着して、固定クランプ体２６をタブ壁２の外側面２ａの上部に接当させ、後下ブロック１０のクッション材１６をタブ壁２の上端に載置する。
【００４３】
手摺ベース３を仮組みした状態で、脚柱５を回転操作して手摺体４の上下高さを調整し、六角穴付きボルト７１を締込んで手摺支柱５０を抱持ブロック７０で密着固定する。さらに、調整ボルト４４を締込んで可動クランプ体２８をタブ壁２の内側面２ｂに密着固定する。最後に、脚柱５を回転操作して、接床体８２のすべり止め８３を洗い場の床面に密着させる。このとき、接床体８２は図１１に示すようにばね８５が圧縮変形する状態で洗い場の床面に密着させ、同時に脚柱５に上向きのばね力を作用させて、雌ねじ体８１が緩むのを防止する。手摺体４の上下高さは、脚柱５の調整ねじ軸５４に対するねじ込み長を調整することで自由に変更することができ、例えば、脚柱５を緩める側に回転させて、手摺支柱５０の下端から突出する脚柱５の長さを大きくすると、手摺体４をより高い位置に支持できる。
【００４４】
手摺体４は、六角穴付きボルト６１を緩めることで、ブラケット５２のセレーション穴５９の中心軸の回りに傾動調整でき、例えば図３に示すように、へ字状の手摺本体５１の傾斜部が洗い場に向かって下り傾斜する姿勢や、手摺本体５１の傾斜部がバスタブ１の内部に向かって下り傾斜する姿勢などに自由に姿勢変更できる。また、六角穴付きボルト７１を緩めて抱持ブロック７０を開放することにより、手摺体４を手摺支柱５０の中心軸線の回りの任意位置に旋回変位させて固定することができる。例えば、バスタブ用手摺がタブ壁２のコーナー近傍に装着してある場合には、手摺体４を図２に示すように浴室の壁面の向きに対応するよう旋回変位させて固定することができる。
【００４５】
手摺ベース３がタブ壁２に固定され、手摺体４の上下位置を調整した状態で、六角穴付きボルト６１を緩めることで、手摺体４をブラケット５２のセレーション穴５９の中心軸の回りに傾動調整することができる。詳しくは、六角穴付きボルト６１を緩めて、セレーション軸６３をブラケット５２側のセレーション穴５９から抜出すと、手摺本体５１をセレーション穴５９の中心軸の回りに上下傾動させて、手摺本体５１の姿勢の調整を行うことができる。このとき、セレーション軸６３がセレーション穴５９から分離した状態においても、六角穴付きボルト６１の先端部分はねじ穴６２にねじ込まれているので、手摺本体５１がブラケット５２から分離することはなく、従って、手摺本体５１の傾動姿勢の調整から、セレーション軸６３の先端をセレーション穴５９に仮係合して、手摺本体５１の使い勝手を確認する一連の作業を適確にしかも速やかに行うことができる。手摺本体５１の傾動姿勢が決定したら、六角穴付きボルト６１をねじ込んで手摺本体５１をブラケット５２と一体化する。
【００４６】
先に説明した固定クランプ体２６は、タブ壁２の湾曲面の変化に応じて、厚みが異なるスペーサー３２を併用してベース本体７に固定される。例えば図１７に示すように、タブ壁２のコーナー部の近傍の外側面２ａが、前突湾曲面と後突湾曲面で緩やかなＳ字状に湾曲している場合には、前突湾曲面に臨む固定クランプ体２６は、厚みが大きなスペーサー３２を併用してベース本体７に固定し、後突湾曲面に臨む固定クランプ体２６は、厚みが小さなスペーサー３２を併用してベース本体７に固定する。このように、タブ壁２の湾曲形状の違いに応じて厚みが異なるスペーサー３２を使用することにより、手摺ベース３をタブ壁２に対して正対する状態で適正に装着できる。なお、スペーサー３２は、図５に示すように各固定クランプ体２６に同じ厚みのスペーサー３２を使用する場合と、片方の固定クランプ体２６にスペーサー３２を使用し、他方の固定クランプ体２６にはスペーサー３２を使用しない場合と、片方の固定クランプ体２６に２個のスペーサー３２を使用し、他方の固定クランプ体２６にはスペーサー３２を使用しない場合などがある。
【００４７】
上記の実施例ではクランプ構造が、ベース本体７に固定される左右一対の固定クランプ体２６と、クランプアーム２７に支持されてタブ壁２の内側面２ｂに接当する左右一対の可動クランプ体２８を備えるようにした。また、固定クランプ体２６の接合面２９は、外側面２ａに向って外突状に湾曲する２次元平面で形成し、可動クランプ体２８は、クランプアーム２７に設けた自在継手３８で前後および左右傾動可能に支持した。こうしたバスタブ用手摺によれば、前後に湾曲しているタブ壁２の外側面２ａの２個所を、一対の固定クランプ体２６の接合面２９で線接触状に受止めることができる。さらに、湾曲するタブ壁の内側面２ｂの２個所を、一対の可動クランプ体２８の接合面４１が異なる向きに傾動し、さらに面接接触状に密着した状態で受止めることができる。従って、本発明に係るバスタブ用手摺によれば、タブ壁２が平坦である場合はもちろん、タブ壁２の内外側面２ａ・２ｂが内外いずれかに湾曲している場合であっても、タブ壁２の内外側面２ａ・２ｂの４個所を固定クランプ体２６と可動クランプ体２８で強固に挟持して、バスタブ用手摺をバスタブ１に対して強固にしかも安定した状態で装着できる。また、タブ壁２のコーナー近傍であっても手摺ベース３を設置できるので、適用可能なバスタブ１と手摺装着位置の自由度を拡大してバスタブ用手摺の汎用性を向上できるうえ、浴槽に出入りするための空間がバスタブ用手摺で狭められるのを極力避けることができる。
【００４８】
ベース本体７に左右一対のクランプアーム２７と、各クランプアーム２７を個別に進退操作する調整構造を設けるようにした。こうしたクランプ構造によれば、各クランプアーム２７を調整構造で独立して進退調整できるので、タブ壁２の挟持位置の前後厚みが異なる場合でも、可動クランプ体２８をタブ壁２の内側面２ｂに密着させて、手摺ベース３をタブ壁２に対して強固にしかもさらに安定した状態で装着できる。
【００４９】
ベース本体７に設けたガイド溝２０と、同溝２０で案内支持されるスライドブロック４３と、スライドブロック４３を進退操作する調整ボルト４４を含んで調整構造を構成し、スライドブロック４３の上側にクランプアーム２７を固定するようにした。こうした調整構造によれば、ベース本体７のガイド溝２０で前後動のみ可能に案内支持されるスライドブロック４３にクランプアーム２７が固定されるので、クランプアーム２７がスライドブロック４３に同行して進退移動するとき、クランプアーム２７が左右や上下にぐら付くのを防止して、可動クランプ体２８をタブ壁２の内側面２ｂに強固に密着保持できる。
【００５０】
クランプアーム２７は、スライドブロック４３に固定したアーム締結枠３６に締結固定した、また、アーム締結枠３６には、クランプアーム２７を締結するための複数のねじ穴４７を形成するようにした。こうしたクランプ構造によれば、調整構造で固定クランプ体２６と可動クランプ体２８の挟持間隔を調整できることに加えて、クランプアーム２７のアーム締結枠３６に対する締結位置を変更することによっても、固定クランプ体２６と可動クランプ体２８の挟持間隔を大小に変更調整できる。従って、バスタブメーカーの違いでタブ壁２の前後厚みが大小に異なるような場合でも、固定クランプ体２６と可動クランプ体２８の挟持間隔の変更範囲を拡大して、バスタブ用手摺の適用範囲を拡大できる。
【００５１】
固定クランプ体２６の接合面２９を、湾曲長さが異なる第１円弧面２９ａと第２円弧面２９ｂからなる部分円弧面で形成するようにした。また、隣接する固定クランプ体２６は左右線対称に配置して、対称中心軸線に近い側の第２円弧面２９ｂの湾曲長さを、対称軸線から遠い側の第１円弧面２９ａの湾曲長さより大きく設定した。こうした固定クランプ体２６によれば、タブ壁２が前突湾曲状である場合には、タブ壁２の外側面２ａを固定クランプ体２６の第２円弧面２９ｂで接当支持でき、タブ壁２が後突湾曲状である場合には、タブ壁２の外側面２ａを固定クランプ体２６の第１円弧面２９ａで接当支持できる。従って、タブ壁２が前突湾曲状である場合と、タブ壁２が後突湾曲状である場合のいずれの場合でも、固定クランプ体２６の接合面２９をタブ壁２の外側面２ａに安定した状態で接合させて、手摺ベース３をタブ壁２に強固に装着できる。
【００５２】
固定クランプ体２６はベース本体７に対してスペーサー３２を介して締結固定し、スペーサー３２は厚みの異なる複数種を用意するようにした。こうしたクランプ構造によれば、タブ壁２の外側面２ａの湾曲面の変化に対応して、固定クランプ体２６を厚みの異なるスペーサー３２を使用してベース本体７に接合固定することができる。例えば、タブ壁２の外側面２ａが緩やかなＳ字状の湾曲面で形成してあるような場合には、厚みの異なるスペーサー３２で各固定クランプ体２６の前後位置を調整して、固定クランプ体２６の接合面２９を湾曲するタブ壁２の外側面２ａに確りと接合させることができる。
【００５３】
ベース本体７に、手摺体４の手摺支柱５０を支持する柱穴１９と第１抱持座６８を設け、同抱持座６８と協同して手摺支柱５０を挟持する抱持ブロック７０を、ベース本体７に対して締結固定することにより、手摺支柱５０を第１抱持座６８と抱持ブロック７０で抱持固定できるようにした。こうしたバスタブ用手摺によれば、抱持ブロック７０の締結を緩めた状態では、手摺体４を無段階で上下に位置調整でき、さらに手摺体４の向きを手摺支柱５０の周りの任意位置に位置調整できるので、ユーザーの身体状況や体力、あるいは好みに応じて手摺体４の位置を自由に調整できる。また、手摺部の一対の取付け脚を連結部にねじで固定する従来の固定構造に比べて、手摺体４の位置調整をより少ない手間で簡便に行える。
【００５４】
脚柱５の上端に雌ねじ体８１を固定し、脚柱５の下端に接床体８２を設けるようにした。また、中空の手摺支柱５０の内部に脚柱５を内嵌装着して、雌ねじ体８１を手摺支柱５０に固定した調整ねじ軸５４にねじ込むようにした。こうしたバスタブ用手摺によれば、脚柱５の調整ねじ軸５４に対するねじ込み度合いを調整することで、手摺ベース３の接床高さを無段階に調整できる。従って、タブ壁２の高さの違いに応じて、手摺ベース３の接床高さを過不足なく適正に調整して、手摺ベース３を脚柱５で確りと支持できる。また、バスタブ用手摺を設置する際に不可欠な手摺ベース３の接床高さの調整を、より少ない手間で簡便に行える。
【００５５】
手摺体４が手摺ベース３で支持される手摺支柱５０と、同支柱５０の上部に固定したブラケット５２で支持される手摺本体５１を備えるようにした。また、手摺ベース３のベース本体７に手摺支柱５０を抱持固定する支柱固定構造を設けて、手摺体４を支柱固定構造で上下調整可能に、かつ、手摺本体５１の向きを手摺支柱５０の周りに旋回調整可能に抱持固定できるようにした。さらに、ブラケット５２と手摺本体５１の間に、手摺本体５１の手摺支柱５０に対する傾動姿勢を調整する傾動調整構造を設けるようにした。こうしたバスタブ用手摺によれば、手摺本体５１の支持姿勢を、上下方向と旋回方向と傾動方向の３方向に変更調整することができるので、ユーザーの身体状況や体力、あるいは好みに応じて手摺本体５１の向きや姿勢、さらには高さ位置を微妙に調整できる汎用性に優れたバスタブ用手摺を提供できる。
【００５６】
ベース本体７に形成した手摺支柱５０用の柱穴１９と、柱穴１９に隣接形成した第１抱持座６８と、第２抱持座６９を備えた抱持ブロック７０と、抱持ブロック７０をベース本体７に締結する六角穴付きボルト７１などで支柱固定構造を構成するようにした。また、抱持ブロック７０を六角穴付きボルト７１でベース本体７に締結固定した状態において、第１、第２の各抱持座６８・６９で手摺支柱５０の周面を抱持固定できるようにした。こうした支柱固定構造によれば、六角穴付きボルト７１を緩めて第１抱持座６８と第２抱持座６９の対向間隔を広げるだけの簡単な操作で、手摺支柱５０を上下に移動操作し、あるいは手摺支柱５０の中心軸の回りに旋回移動操作することができる。また、手摺本体５１の姿勢を調整した状態で六角穴付きボルト７１を締めこむだけで、手摺本体５１を姿勢変更不能に固定保持できる。従って、支柱固定構造による一連の姿勢調整作業を、簡便にしかも速やかに行える。
【００５７】
手摺支柱５０の周面を断面円形に形成し、第１抱持座６８と第２抱持座６９は、それぞれ断面半円状に形成するようにした。こうした支柱固定構造によれば、抱持ブロック７０を六角穴付きボルト７１でベース本体７に締結固定した状態において、第１抱持座６８と第２抱持座６９を手摺支柱５０の周面に面接触状に密着させて、両抱持座６８・６９と手摺支柱５０の間の摩擦力を増強できる。従って、手摺本体５１が外力を受けて下向きにずれ動き、あるいは、外力を受けた手摺本体５１が手摺支柱５０の中心軸の回りに旋回移動するのを確実に防止して、ユーザーを常に安定した状態で支持できる、安全性に優れたバスタブ用手摺を提供できる。
【００５８】
第１抱持座６８と第２抱持座６９の対向面の左右両側に、互いに係合する位置決め体７６と位置決め穴７３を形成するようにした。こうした支柱固定構造によれば、互いに係合する位置決め体７６と位置決め穴７３で、抱持ブロック７０を上下および左右に位置決めした状態で締結できるので、六角穴付きボルト７１による抱持ブロック７０の締結をより的確に、しかも安定した状態で行うことができる。また、ベース本体７に締結固定された状態の抱持ブロック７０は、左右一対の六角穴付きボルト７１と左右一対の位置決め体７６および位置決め穴７３の合計４個所で固定保持されるので、抱持ブロック７０に大きな傾動モーメントが作用するような場合でも、手摺体４をぐら付きのない状態で確りと支持できる。
【００５９】
手摺本体５１の連結部５６およびブラケット５２のボス９０に設けられるセレーション穴５８・５９と、両セレーション穴５８・５９を係合連結するセレーション軸６３と、セレーション軸６３をブラケット５２に締結固定する六角穴付きボルト６１で傾動調整構造を構成するようにした。こうした傾動調整構造によれば、セレーション軸６３が各セレーション穴５８・５９と係合する状態で、手摺本体５１をブラケット５２に固定支持できるので、手摺本体５１に大きな外力モーメントが作用する場合でも、手摺本体５１の姿勢を安定した状態で保持し続けることができる。また、セレーション軸６３とセレーション穴５８・５９を連結要素にして、手摺本体５１をブラケット５２に締結固定するので、手摺本体５１の傾動姿勢を調整する際の自由度を向上して、個々のユーザーの身体状況等に適合した姿勢調整を綿密に行える。
【００６０】
プラスチック製の軸本体９２とキャップ９３でセレーション軸６３を構成し、軸本体９２に形成したセレーション歯６３ａを、先すぼまりテーパー状に形成し、各セレーション穴５８・５９に形成したセレーション歯５８ａ・５９ａは、前記セレーション歯６３ａとは逆向きの先すぼまりテーパー状に形成するようにした。こうした傾動調整構造によれば、手摺本体５１をブラケット５２に連結した状態では、各セレーション歯５８ａ・５９ａ・６３ａの歯面をくさび効果で密着させることができるので、ユーザーを支える手摺本体５１が外力を受けて上下に傾動するのを確実に防止し、バスタブ用手摺の安全性を向上できる。
【００６１】
軸本体９２の挿通穴９４に挿通した六角穴付きボルト６１のねじ込み始端を、軸本体９２のボス９０との接合面より突出させるようにした。こうした傾動調整構造によれば、六角穴付きボルト６１を緩めてセレーション軸６３をブラケット５２側のセレーション穴５９から分離させた状態において、六角穴付きボルト６１の先端部分がねじ穴６２にねじ込まれているので、手摺本体５１がブラケット５２から分離することはない。従って、手摺本体５１の傾動姿勢の調整から、セレーション軸６３の先端をセレーション穴５９に仮係合して、手摺本体５１の使い勝手を確認する一連の作業を適確にしかも速やかに行うことができる。
【００６２】
上記の実施例では、固定クランプ体２６の接合面２９を部分円弧状の円弧平面で形成したがその必要はなく、接合面２９は楕円平面や湾曲平面などの、外側面２ａに向って外突状に湾曲する２次元平面で形成してあればよい。また、調整構造は、各クランプアーム２７に対応して設けることが好ましいが、各クランプアーム２７を同時に進退操作する調整構造であってもよい。
【００６３】
抱持ブロック７０の第２抱持座６９は断面が半円状であることが好ましいが、その必要はなく、第２抱持座６９の断面形状はＶ字状、台形状、あるいはスプライン穴状に形成してあってもよい。また、第１抱持座６８は柱穴１９の上側に形成してあってもよい。セレーション歯５８ａ・５９ａ・６３ａの断面は三角形、四角形、台形であってもよく、歯数が少ない角形スプライン、インボリュートスプラインなどのスプライン歯状に形成してあってもよい。
【符号の説明】
【００６４】
１  バスタブ
２  タブ壁
３  手摺ベース
４  手摺体
５  脚柱
７  ベース本体
１９  柱穴
５０  手摺支柱
５１  手摺本体
５２  ブラケット
５４  調整ねじ軸
５６  連結部
５８・５９  セレーション穴
６１  ねじ体（六角穴付きボルト）
６３  セレーション軸
６８  第１抱持座
６９  第２抱持座
７０  抱持ブロック
７１  ねじ体（六角穴付きボルト）
【図１】
0006913730.tif 000002
【図２】
0006913730.tif 000003
【図３】
0006913730.tif 000004
【図４】
0006913730.tif 000005
【図５】
0006913730.tif 000006
【図６】
0006913730.tif 000007
【図７】
0006913730.tif 000008
【図８】
0006913730.tif 000009
【図９】
0006913730.tif 000010
【図１０】
0006913730.tif 000011
【図１１】
0006913730.tif 000012
【図１２】
0006913730.tif 000013
【図１３】
0006913730.tif 000014
【図１４】
0006913730.tif 000015
【図１５】
0006913730.tif 000016
【図１６】
0006913730.tif 000017
【図１７】
0006913730.tif 000018